(57)【特許請求の範囲】
【請求項１】
紫外線によりインプラントの有機汚染物除去を行うためのインプラント用紫外線照射装置において、
前記インプラント用紫外線照射装置は、
開閉扉を有する筐体と、
前記筐体内に配設された紫外線ランプと、
前記筐体内に引き出し可能に設けられたキャリッジと、
該キャリッジ上に載置されて筐体内の紫外線ランプと対向配置されるインプラント保持体とからなり、
前記インプラント保持体が、前記キャリッジに着脱自在に載置され、滅菌対象としない不潔域を構成する載置台と、該載置台に着脱自在に載置され、滅菌対象となる清潔域を構成するインプラント支持台とからなり、
前記載置台には、把手が設けられていることを特徴とするインプラント用紫外線照射装置。
【請求項２】
前記キャリッジが扉の開閉と連動して引き出し・収納されることを特徴とする請求項１に記載のインプラント用紫外線照射装置。
【請求項３】
前記キャリッジには、前記載置台を位置決めする位置決め手段が設けられていることを特徴とする請求項１に記載のインプラント用紫外線照射装置。
【請求項４】
前記載置台には、前記インプラント支持台を位置決めする位置決め手段が設けられていることを特徴とする請求項１に記載のインプラント用紫外線照射装置。
【請求項５】
前記インプラント支持台には、インプラントを挿入支持するための開口が形成されていることを特徴とする請求項１に記載のインプラント用紫外線照射装置。
【発明の詳細な説明】
【技術分野】
【０００１】
この発明は、インプラントに紫外線を照射してその有機汚染物除去を行うインプラント用紫外線照射装置に関するものであり、特に、紫外線ランプを利用してデンタルインプラントの有機汚染物除去を行うインプラント用紫外線照射装置に係わるものである。
【背景技術】
【０００２】
インプラント、特にデンタルインプラントは失われた歯の機能を代用させることを目的として顎骨に埋め込まれるものであり、そのデンタルインプラント手術においては、デンタルインプラントが十分に骨と結合（オッセオインテグレーション）することが肝要である。そのために、例えば、特許第３０７２３０３号公報（特許文献１）の段落０００９には、デンタルインプラントに紫外線を照射することによって、当該デンタルインプラントに付着した有機汚染物を除去することが提案されている。
しかしながら、この先行文献においては単にアイディアとしての記述がなされているだけであり、これを実現した具体的な装置構造が提案されているわけではない。
【０００３】
而して、デンタルインプラント手術においては、デンタルインプラントへの紫外線照射による有機汚染物の除去作業が終了した後は、当該デンタルインプラントに有機汚染物等が再度付着することを回避するために、できるだけ速やかに手術に供されることが肝要である。
そのためには、紫外線照射装置内へのインプラントの出し入れが容易に、かつ、スムースにできて、処理後のインプラントへの再汚染を確実に回避できることが必要である。
このような有機汚染物の除去を行うための小型かつ簡便であり、再汚染の心配のない装置は実用化されていないのが現状である。
【先行技術文献】
【特許文献】
【０００４】
【特許文献１】特許第３０７２３０３号公報
【発明の概要】
【発明が解決しようとする課題】
【０００５】
この発明が解決しようとする課題は、紫外線を放射する紫外線ランプを用いて人工歯根などのインプラントの有機汚染物を除去するためのインプラント用紫外線照射装置において、インプラントを処理室内に容易かつスムースに出し入れできて、処理後のインプラントへの再汚染の恐れのないインプラント用紫外線照射装置の構造を提供することである。
【課題を解決するための手段】
【０００６】
上記課題を解決するために、この発明に係るインプラント用紫外線照射装置は、開閉扉を有する筐体と、該筐体内に配設された紫外線ランプと、前記筐体内に引き出し可能に設けられたキャリッジと、該キャリッジ上に載置されて筐体内の紫外線ランプと対向配置されるインプラント保持体とからなり、前記インプラント保持体が、前記キャリッジに着脱自在に載置される載置台と、該載置台に着脱自在に載置されるインプラント支持台とからなることを特徴とする。
また、前記キャリッジが、扉の開閉と連動して引き出し・収納されることを特徴とする。
また、前記載置台には、把手が設けられていることを特徴とする。
また、前記キャリッジには、前記載置台を位置決めする位置決め手段が設けられていることを特徴とする。
また、前記載置台には、前記インプラント支持台を位置決めする位置決め手段が設けられていることを特徴とする。
また、前記インプラント支持台には、インプラントを挿入支持するための開口が形成されていることを特徴とする。
【発明の効果】
【０００７】
本発明のインプラント用紫外線照射装置によれば、インプラントが支持されるインプラント保持体を、載置台とインプラント支持台とより構成して、このインプラント保持体を筐体内で引き出し・収納可能なキャリッジ上に載置固定する構成としたことにより、インプラント保持体を清潔域と不潔域とに分割して、インプラントの紫外線照射処理時におけるインプラント保持体の出し入れには、清潔域を構成するインプラント支持台に触れることなく、不潔域を構成する載置台側を取り扱えばよく、そのため、清潔域にあるインプラントは清潔状態を保たれ、照射処理後の再汚染等の心配もない。
また、紫外線照射処理に先だつ滅菌処理にあっても、清潔域を構成するインプラント支持台のみを滅菌処理すればよく、そのための滅菌処理装置への収容が効率的になされて、同時に多数の滅菌処理が行える。
また、開閉扉に連動するキャリッジにインプラント保持体を載置固定することにより、開閉扉を閉じればインプラントが内部の紫外線ランプに的確に対向配置されて紫外線照射を効果的に行える。
【図面の簡単な説明】
【０００８】
【図１】本発明のデンタルインプラント用紫外線照射装置の側断面図。
【図２】図１の横断面図。
【図３】図１の扉開放時の断面図。
【図４】図１の扉およびインプラント保持体を表す断面図。
【図５】インプラント保持体を表す断面図。
【図６】インプラント保持体の比較例。
【図７】図６の比較例の滅菌処理工程の説明図。
【図８】本発明のインプラント保持体の滅菌工程の説明図。
【発明を実施するための形態】
【０００９】
図１に示されるように、本発明のデンタルインプラント用紫外線照射装置は、密閉型の筐体１と、該筐体１に対して気密に開閉される扉２とからなる。筐体１内は隔壁３によって処理室４とオゾン処理室５とに区画され、処理室４内には紫外線ランプ６が配設されている。
上記紫外線ランプ６は、例えば波長１８５〜２５４ｎｍの紫外線を放射する低圧水銀ランプであって、筐体１の奥行き方向に伸びる２つの直線状部分が湾曲部分によって連結されてなるＵ字管状の発光管６ａを有し、この２つの直線状部分が互いに上下に位置する関係で、直線状部分の長手方向が略水平方向となるように配置されていて、その一方端にはベース６ｂが取り付けられている。
図２に示されるように、該紫外線ランプ６は対向するように一対配置されていて、これら紫外線ランプ６、６の両側にはこれを取り囲むように、断面樋状の反射鏡７、７が設けられている。
オゾン処理室５には、筐体１内のガスを循環させるファン８と、オゾン除去手段９が配置されている。オゾン除去手段９は、例えば、無機繊維ペーパーにより形成されたハニカム構造体からなる基体に、たとえば二酸化マンガンよりなるオゾン除去用触媒が担持されてなるオゾン除去フィルターである。
前記ファン８によって、処理室４内のオゾンを含むガスはオゾン処理室５に流れ、オゾン除去手段９によってオゾンを除去されて、再び処理室４に流れるように循環される。
【００１０】
扉２の開放状態を示す図３も参照して、開閉扉２は、この実施例では引き出し型であって、扉２と一体にキャリッジ１０が取り付けられており、該キャリッジ１０は筐体１に設けられたガイド１１よってガイドされて、扉２の開閉と連動して引き出し可能となっている。
更に、図４は、扉２と連動するキャリッジ１０上にインプラント保持体１２が載置された状態の説明図であって、キャリッジ１０上にはインプラント保持体１２が載置されている。
図５にインプラント保持体１２の詳細が示されていて、当該インプラント保持体１２は、載置台１３と、インプラント支持台１４とからなる。載置台１３には、凹部１５が形成されていて、前記インプラント支持台１４の位置決め手段となっている。そして、この載置台１３の両端には、把手１６が取り付けられている。
また、インプラント支持台１４には、複数の開口１７が穿設されていて、インプラント１８はこの開口１７内に挿入されて支持される。この時、人体に埋め込まれる螺子部１８ａが上方を向くように、その他端部１８ｂが該開口１７内に挿入される。こうしてインプラント１８がセットされた状態で、該インプラント支持台１４は載置台１３の凹部１５内に嵌挿・載置される。
【００１１】
インプラント１８がセットされたインプラント保持体１２は、図４で示されるように、キャリッジ１０上の位置決め手段２０によって位置決めされて該キャリッジ１０上に載置される。
その後、図１に示すように、扉２が閉じられると、キャリッジ１０上のインプラント保持体１２は前記一対の紫外線ランプ６、６間に位置し、かつインプラント１８が該紫外線ランプ６の長さ方向の有効発光領域内に収まるように配置される。
こうして、紫外線ランプ６による紫外線照射によってインプラント１８の洗浄処理が行われる。
なお、この洗浄処理後には、所定時間だけファン８が回転されて筐体１の処理室４内のガスがオゾン処理室５に流されて循環し、その間にオゾン除去手段９によってオゾンの除去処理が行われる。
【００１２】
しかして、当然のことながらインプラントは清潔でなければならないため、作業者は、洗浄されたインプラントを装置から取り出す際に、直接触ることはせず、インプラント保持体を掴んで取り出すことになる。これを具体的に装置化しようとすると、図６に示すように、インプラント１８が支持されるインプラント保持体２１に把手２を取り付けて保持体２１を掴み易くする構造が考えられる。
また、保持体２１は、紫外線やオゾンに曝されるため、耐紫外性、耐オゾン性を備えた部材で形成されることが望ましく、ステンレス等の金属材料が採用される。
紫外線照射処理を行うと、金属で構成された保持体２１は、ランプの熱を受けて７０℃程度まで温度が上昇する。そのため、該保持体２１に把手２２が設けてあると、この部分は冷えやすいので、処理後に長く待たずに作業者がこれを持ってインプラントを取り出すことができる。
【００１３】
ところで、医療分野においては、インプラントのような人体に直接埋め込まれる部材を、直接保持するインプラント保持体などの部材は、滅菌処理が施されて、清潔域として扱われる。しかしながら、図６に示すように、インプラント保持体２２に把手２２を設け、保持体２２にインプラント１８を直接固定して処理作業が行われると、折角、インプラント保持体２１が清潔域を構成するにも拘らず、作業者がこれを直接取り扱うために、インプラント１８への再汚染の心配が多い。
【００１４】
また、インプラント保持体２２の滅菌処理装置としては、例えばオートクレーブが用いられる。このオートクレーブは、滅菌対象物を高温高圧化において処理をする装置であって、該オートクレーブによる滅菌処理には、滅菌処理時間に加えて冷却時間が必要であり、全体として１時間以上の処理時間が必要である。
そのため、紫外線照射処理を連続で行うには複数の保持体を滅菌しておく必要がある。
ところが、保持体２１に把手２２を設けた構造とすることにより、図７に示すように、滅菌処理する際にオートクレーブ２３に収容すると、把手２２の存在によって余分なスペースをとってしまい、一度に滅菌処理できる保持体２１の個数が減ってしまうという問題が生じる。
であるからといって、オートクレーブを複数台所有することは不経済であるし、更には、一定以上の大きさを持つオートクレーブを採用することは、装置が大型化する上に、労働安全衛生法に基づく管理が必要であるという問題がある。
【００１５】
これに対して本発明では、インプラント保持体１２を、それぞれ別体の載置台１３とインプラント支持台１４とより構成し、載置台１３側に把手１６を設けて、前記インプラント支持台１４を清潔域とし、前記載置台１３を不潔域として、該清潔域を構成するインプラント支持台１４のみを滅菌対象とするものである。
こうすることにより、図８で示すように、滅菌処理のためにインプラント支持台１４をオートクレーブ２３内に収容する際に、効率的に多くのものを収容することができて、滅菌処理を効率よく行うことができる。
【００１６】
なお、キャリッジ１０のインプラント保持体１２のための位置決め手段２０としては、図示の突起物以外の構造、例えば、凹部等であってもよく、同様に、載置台１３のインプラント支持台１４のための位置決め手段としては、図示の凹部１５以外の構造、例えば突起物等であってもよい。
また、キャリッジ１０は開閉扉２と一体化したものを説明したが、別体であってもよく、その場合、扉２は、キャリッジ１０のガイド１１とは別のガイド機構によって引き出し・収納可能に設けられる。
更にまた、筐体１に対する開閉扉２としては、上記引き出し型の扉以外に、蝶番によるスイング式の回動扉であってもよく、その場合も、インプラント保持体１２を載置するキャリッジ１０は、扉２の開閉とは別に引き出し可能としてもよいし、扉２の回動に連動して水平状態を保って進退するようにしてもよい。
【００１７】
以上説明したように、本発明のインプラント用紫外線照射装置においては、インプラントが支持されるインプラント保持体を、載置台とインプラント支持体とより構成して、このインプラント保持体を筐体内で引き出し・収納可能なキャリッジ上に載置固定する構成としたことにより、インプラント保持体を清潔域と不潔域とに分割して、インプラントの紫外線照射処理時に不潔域を構成する載置台側を取り扱えばよく、そのため、清潔域にあるインプラントへの再汚染等の心配がない。
また、紫外線照射処理に先立つ滅菌処理においても、清潔域を構成するインプラント支持台のみを滅菌処理すればよく、そのための滅菌処理装置への収容が効率的になされて、同時に多数の滅菌処理が行える。
更に、載置台に把手を設けることにより、その取り扱いも容易になり、更には把手が加熱からの冷却が急速であるので、迅速な作業がなされる。
加えて、キャリッジを扉と連動させることにより、扉の開閉によってインプラントが的確に紫外線ランプに対向する位置に配置されて、効果的な紫外線照射処理が達成できる。
【符号の説明】
【００１８】
１      筐体
２      扉
３      隔壁
４      処理室
５      オゾン処理室
６      紫外線ランプ
７      反射鏡
８      ファン
９      オゾン除去手段
１０    キャリッジ
１１    ガイド
１２    インプラント保持体
１３    載置台
１４    インプラント支持台
１５    凹部（位置決め手段）
１６    把手
１７    開口
１８    （デンタル）インプラント
２０    位置決め手段
【図１】
0005585473.tif 000002
【図２】
0005585473.tif 000003
【図３】
0005585473.tif 000004
【図４】
0005585473.tif 000005
【図５】
0005585473.tif 000006
【図６】
0005585473.tif 000007
【図７】
0005585473.tif 000008
【図８】
0005585473.tif 000009